(57)【特許請求の範囲】
【請求項１】
コードレス通信システムでマクロｅＮＢがＵＥのハンドオーバーを支援するための方法において、
ＵＥに対するリレーｅＮＢへのハンドオーバーを決める過程と、
前記ＵＥに対するハンドオーバーを要請するハンドオーバーの要請メッセージと、マクロｅＮＢとリレーｅＮＢの間のＲＲＣ連結の設定を要請するＲＲＣ連結の設定のメッセージを統合して、ハンドオーバーの要請及びＲＲＣ連結の設定のメッセージを前記リレーｅＮＢに送信する過程と、
前記リレーｅＮＢからハンドオーバーの要請の応答メッセージとＲＲＣ連結の設定の応答メッセージが統合されたハンドオーバーの要請の応答及びＲＲＣ連結の設定の応答メッセージを受信する過程と、を含むことを特徴とする方法。
【請求項２】
前記ハンドオーバーの要請及びＲＲＣ連結の設定のメッセージの送信の以前に、
前記ＵＥに対するコール許可制御を実行する過程をさらに含むことを特徴とする請求項１に記載の方法。
【請求項３】
前記コール許可制御の実行過程は、
前記マクロｅＮＢとリレーｅＮＢの間の無線リンクの資源の量を確認する過程と、
前記確認されたマクロｅＮＢとリレーｅＮＢの間の無線リンクの資源の量が、前記ＵＥのハンドオーバーによって前記リレーｅＮＢに割り当てしなければならない無線リンクの資源の量より大きいか同じ場合、前記ＵＥに対してコール許可を決める過程と、
前記確認されたマクロｅＮＢとリレーｅＮＢの間の無線リンクの資源の量が、前記ＵＥのハンドオーバーによって前記リレーｅＮＢに割り当てしなければならない無線リンクの資源の量より小さい場合、前記ＵＥに対してコール拒絶を決める過程と、を含むことを特徴とする請求項２に記載の方法。
【請求項４】
前記ＵＥに対してコール許可を決めた時、前記マクロｅＮＢとリレーｅＮＢの間のＲＲＣ連結が存在するかどうかを検査する過程と、
前記マクロｅＮＢとリレーｅＮＢの間のＲＲＣ連結が存在する時、前記ＵＥに対するハンドオーバーを要請するハンドオーバーの要請メッセージと、マクロｅＮＢとリレーｅＮＢの間のＲＲＣ連結の再構成を要請するＲＲＣ連結の再構成メッセージを統合して、ハンドオーバーの要請及びＲＲＣ連結の再構成メッセージを前記リレーｅＮＢに送信する過程と、
前記リレーｅＮＢからハンドオーバーの要請の応答メッセージとＲＲＣ連結の再構成の応答メッセージが統合されたハンドオーバーの要請の応答及びＲＲＣ連結の再構成の応答メッセージを受信する過程と、をさらに含み、
前記ハンドオーバーの要請及びＲＲＣ連結の設定のメッセージの送信過程は、前記マクロｅＮＢとリレーｅＮＢの間のＲＲＣ連結が存在しない場合に実行することを特徴とする請求項３に記載の方法。
【請求項５】
コードレス通信システムでリレーｅＮＢがＵＥのハンドオーバーを支援するための方法において、
マクロｅＮＢから、前記ＵＥに対するハンドオーバーを要請するハンドオーバーの要請メッセージと、マクロｅＮＢとリレーｅＮＢの間のＲＲＣ連結の設定/再構成を要請するＲＲＣ連結の設定/再構成のメッセージが統合された、ハンドオーバーの要請及びＲＲＣ連結の設定/再構成のメッセージを受信する過程と、
前記ＵＥに対するコール許可制御を実行する過程と、
前記コール許可制御の実行結果によって、ハンドオーバーの要請の応答メッセージとＲＲＣ連結の設定/再構成の応答メッセージを統合して、ハンドオーバーの要請の応答及びＲＲＣ連結の設定/再構成の応答メッセージを前記マクロｅＮＢに送信する過程と、を含むことを特徴とする方法。
【請求項６】
前記コール許可制御の実行過程は、
前記リレーｅＮＢとＵＥの間の無線リンクの資源の量を確認する過程と、
前記確認されたリレーｅＮＢとＵＥの間の無線リンクの資源の量が、前記ＵＥのハンドオーバーによって前記ＵＥに割り当てしなければならない無線リンクの資源の量より大きいか同じ場合、前記ＵＥに対してコール許可を決める過程と、
前記確認されたリレーｅＮＢとＵＥの間の無線リンクの資源の量が、前記ＵＥのハンドオーバーによって前記ＵＥに割り当てしなければならない無線リンクの資源の量より小さい場合、前記ＵＥに対してコール拒絶を決める過程と、を含むことを特徴とする請求項５に記載の方法。
【請求項７】
前記ＵＥに対してコール許可を決めた時、前記マクロｅＮＢとリレーｅＮＢの間のＲＲＣ連結を設定/再構成する過程をさらに含むことを特徴とする請求項６に記載の方法。
【請求項８】
コードレス通信システムでＵＥのハンドオーバーを支援するためのマクロｅＮＢにおいて、
ＵＥに対するリレーｅＮＢへのハンドオーバーの決定によって、前記ＵＥに対するハンドオーバーを要請するハンドオーバーの要請メッセージと、マクロｅＮＢとリレーｅＮＢの間のＲＲＣ連結の設定を要請するＲＲＣ連結の設定のメッセージを統合して、ハンドオーバーの要請及びＲＲＣ連結の設定のメッセージを生成するメッセージの統合器/分離器と、
前記生成されたハンドオーバーの要請及びＲＲＣ連結の設定のメッセージを前記リレーｅＮＢに送信して、前記リレーｅＮＢからハンドオーバーの要請の応答メッセージとＲＲＣ連結の設定の応答メッセージが統合されたハンドオーバーの要請の応答及びＲＲＣ連結の設定の応答メッセージを受信する物理-無線リンクの階層と、を含むことを特徴とするマクロｅＮＢ。
【請求項９】
前記ＵＥに対するコール許可制御を実行するＸ２シグナリング制御器をさらに含むことを特徴とする請求項８に記載のマクロｅＮＢ。
【請求項１０】
前記Ｘ２シグナリング制御器は、
前記マクロｅＮＢとリレーｅＮＢの間の無線リンクの資源の量を確認して、
前記確認されたマクロｅＮＢとリレーｅＮＢの間の無線リンクの資源の量が、前記ＵＥのハンドオーバーによって前記リレーｅＮＢに割り当てしなければならない無線リンクの資源の量より大きいか同じ場合、前記ＵＥに対してコール許可を決めて、
前記確認されたマクロｅＮＢとリレーｅＮＢの間の無線リンクの資源の量が、前記ＵＥのハンドオーバーによって前記リレーｅＮＢに割り当てしなければならない無線リンクの資源の量より小さい場合、前記ＵＥに対してコール拒絶を決めることを特徴とする請求項９に記載のマクロｅＮＢ。
【請求項１１】
前記ＵＥに対してコール許可が決まる時、前記マクロｅＮＢとリレーｅＮＢの間のＲＲＣ連結が存在するかどうかを検査するＲＲＣ階層をさらに含み、
前記メッセージの統合器/分離器は、前記マクロｅＮＢとリレーｅＮＢの間のＲＲＣ連結が存在する時、前記ＵＥに対するハンドオーバーを要請するハンドオーバーの要請メッセージと、マクロｅＮＢとリレーｅＮＢの間のＲＲＣ連結の再構成を要請するＲＲＣ連結の再構成メッセージを統合して、ハンドオーバーの要請及びＲＲＣ連結の再構成メッセージを生成して、
前記物理-無線リンクの階層は、前記生成されたハンドオーバーの要請及びＲＲＣ連結の再構成メッセージを前記リレーｅＮＢに送信して、前記リレーｅＮＢからハンドオーバーの要請の応答メッセージとＲＲＣ連結の再構成の応答メッセージが統合されたハンドオーバーの要請の応答及びＲＲＣ連結の再構成の応答メッセージを受信して、
前記メッセージの統合器/分離器は、前記マクロｅＮＢとリレーｅＮＢの間のＲＲＣ連結が存在しない場合、前記ハンドオーバーの要請及びＲＲＣ連結の設定のメッセージを生成することを特徴とする請求項１０に記載のマクロｅＮＢ。
【請求項１２】
コードレス通信システムでＵＥのハンドオーバーを支援するためのリレーｅＮＢにおいて、
マクロｅＮＢから、前記ＵＥに対するハンドオーバーを要請するハンドオーバーの要請メッセージと、マクロｅＮＢとリレーｅＮＢの間のＲＲＣ連結の設定/再構成を要請するＲＲＣ連結の設定/再構成のメッセージが統合された、ハンドオーバーの要請及びＲＲＣ連結の設定/再構成のメッセージを受信する物理-無線リンクの階層と、
前記ＵＥに対するコール許可制御を実行するＸ２シグナリング制御器と、
前記コール許可制御の実行結果によって、ハンドオーバーの要請の応答メッセージとＲＲＣ連結の設定/再構成の応答メッセージを統合して、ハンドオーバーの要請の応答及びＲＲＣ連結の設定/再構成の応答メッセージを生成するメッセージの統合器/分離器と、を含み、
前記物理-無線リンクの階層は、前記生成されたハンドオーバーの要請の応答及びＲＲＣ連結の設定/再構成の応答メッセージを前記マクロｅＮＢに送信することを特徴とするリレーｅＮＢ。
【請求項１３】
前記Ｘ２シグナリング制御器は、
前記リレーｅＮＢとＵＥの間の無線リンクの資源の量を確認して、
前記確認されたリレーｅＮＢとＵＥの間の無線リンクの資源の量が、前記ＵＥのハンドオーバーによって前記ＵＥに割り当てしなければならない無線リンクの資源の量より大きいか同じ場合、前記ＵＥに対してコール許可を決めて、
前記確認されたリレーｅＮＢとＵＥの間の無線リンクの資源の量が、前記ＵＥのハンドオーバーによって前記ＵＥに割り当てしなければならない無線リンクの資源の量より小さい場合、前記ＵＥに対してコール拒絶を決めることを特徴とする請求項１２に記載のリレーｅＮＢ。
【請求項１４】
前記ＵＥに対してコール許可が決まる時、前記マクロｅＮＢとリレーｅＮＢの間のＲＲＣ連結を設定/再構成するＲＲＣの階層をさらに含むことを特徴とする請求項１３に記載のリレーｅＮＢ。
【発明の詳細な説明】
【技術分野】
【０００１】
本発明はコードレス通信システムでハンドオーバー装置及び方法に関することとして、特にコードレス通信システムでマクロｅＮＢ（ｍａｃｒｏ  ｅｖｏｌｖｅｄ  Ｎｏｄｅ−Ｂ）からリレーｅＮＢ（ｒｅｌａｙ  ｅｖｏｌｖｅｄ  Ｎｏｄｅ−Ｂ）へのＵＥ（Ｕｓｅｒ  Ｅｑｕｉｐｍｅｎｔ）の效率的なハンドオーバーのための装置及び方法に関するのである。
【背景技術】
【０００２】
中継（Ｒｅｌａｙ）は、セルの陰影地域の解消及びシステムの性能（ｔｈｒｏｕｇｈｐｕｔ）向上などの目的を持ってＩＥＥＥ８０２．１６系列で標準化されているし、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）でもリリース（Ｒｅｌｅａｓｅ）９で導入のために論議の中である。
【０００３】
３ＧＰＰ  ＬＴＥでは、中継の種類をＬ（Ｌａｙｅｒ）１中継、Ｌ２中継、Ｌ３中継の三種類で分類している。Ｌ１中継の場合、リレーｅＮＢ（Ｒｅｌａｙ  ｅＮＢ）は、マクロｅＮＢ（Ｍａｃｒｏ  ｅＮＢ）と等しい信号を送信するリピーター（ｒｅｐｅａｔｅｒ）である。Ｌ２中継の場合、リレーｅＮＢは自体の放送（ｂｒｏａｄｃａｓｔ）情報、制御（ｃｏｎｔｒｏｌ）シグナリング情報を送信してスケジューリングも実行する。またＬ２中継の場合、リレーｅＮＢと無線リンク（ｒａｄｉｏ  ｌｉｎｋ）を形成するマクロｅＮＢはリレーｅＮＢとのデータ送受信を管理して、リレーｅＮＢをＵＥ（Ｕｓｅｒ  Ｅｑｕｉｐｍｅｎｔ：ＵＥ）と違うようにみなすためにマクロｅＮＢとリレーｅＮＢが成す無線リンクはマクロｅＮＢのスケジューリングで特別に扱われる。ＩＥＥＥ８０２．１６系列の中継が主にＬ２中継にあたる。最後にＬ３中継は、マクロｅＮＢのスケジューリングで、マクロｅＮＢとリレーｅＮＢが成す無線リンクそしてマクロｅＮＢと一般のＵＥが成す無線リンクが区別されないで同等に扱われるという点でＬ２中継と異なる。またＬ３中継で、マクロｅＮＢとリレーｅＮＢはＸ２インターフェースを作るようになって、マクロｅＮＢとリレーｅＮＢが無線リンクにだけ連結になっているのでＸ２インターフェースも無線リンクで作られる。
【０００４】
一方、従来の技術による３ＧＰＰ  ＬＴＥのＬ３中継システムでＵＥがマクロｅＮＢからリレーｅＮＢへハンドオーバー（ｈａｎｄｏｖｅｒ）する過程に対してよく見ると次のようである。マクロｅＮＢからサービスを受けるＵＥがリレーｅＮＢのサービス領域の近くに移動することによって一定の条件が作られれば、マクロｅＮＢはＵＥの測定報告（ｍｅａｓｕｒｅｍｅｎｔ  ｒｅｐｏｒｔ）メッセージを土台にしてＵＥに対するハンドオーバーを決める。前記のＵＥに対するハンドオーバーを決めるようになれば、サービングｅＮＢであるマクロｅＮＢとターゲットｅＮＢであるリレーｅＮＢは、ハンドオーバーの要請（ｈａｎｄｏｖｅｒ  ｒｅｑｕｅｓｔ）メッセージとハンドオーバーの要請の応答（ｈａｎｄｏｖｅｒ  ｒｅｑｕｅｓｔ  ｒｅｓｐｏｎｓｅ）メッセージをＸ２インターフェースを通じて取り交わすようになり、この時リレーｅＮＢはコール許可制御を実行するようになる。ここで、マクロｅＮＢとリレーｅＮＢは無線リンクを通じてＸ２インターフェースを作っている状態なので、前記のハンドオーバーの要請メッセージとハンドオーバーの要請の応答メッセージも無線リンクを通じて送信されなければならない。もし、マクロｅＮＢとリレーｅＮＢの間の無線リンクが作られていなかったら、すなわち連結されていなかったら、マクロｅＮＢとリレーｅＮＢは無線リンクを作るためにページング（ｐａｇｉｎｇ）メッセージとＲＲＣ（Ｒａｄｉｏ  Ｒｅｓｏｕｒｃｅ  Ｃｏｎｔｒｏｌ）連結の要請メッセージ、ＲＲＣ連結の設定のメッセージ、ＲＲＣ連結の設定の完了メッセージを取り交わさなければならない。もし、マクロｅＮＢとリレーｅＮＢの間の無線リンクが作られていたら、ハンドオーバーを通じてマクロｅＮＢとリレーｅＮＢの間に発生する無線リンクの変更事項をマクロｅＮＢがリレーｅＮＢに送らなければならないし、これはＲＲＣ連結の再構成メッセージとＲＲＣ連結の再構成の完了メッセージを交換することで成り立つのである。このように、マクロｅＮＢからリレーｅＮＢへのＵＥのハンドオーバーのためにはＸ２シグナリングメッセージだけでなくＲＲＣシグナリングメッセージの交換が必要である。
【０００５】
従来の技術は、ハンドオーバーの手続きとＲＲＣ連結手続き及びＲＲＣ連結の再構成手続きが分離しているという点と、マクロｅＮＢでもコール許可制御（ａｄｍｉｓｓｉｏｎ  ｃｏｎｔｒｏｌ）ができるにもかかわらず、そうしないことで次のような問題が発生しうる。一番目の問題では、マクロｅＮＢとリレーｅＮＢの間に取り交わすメッセージの量が多くなるようになる。マクロｅＮＢとリレーｅＮＢの間の連結がない場合、マクロｅＮＢはリレーｅＮＢにハンドオーバーの要請メッセージを送信する前に、前記のリレーｅＮＢとページングメッセージ、ＲＲＣ連結の要請メッセージ、ＲＲＣ連結の設定のメッセージ、ＲＲＣ連結の設定の完了メッセージを取り交わさなければならないし、これは非常に長いハンドオーバーの遅延を誘発するようになる。また、マクロｅＮＢとリレーｅＮＢの間の連結がある場合にも、マクロｅＮＢとリレーｅＮＢの間のＲＲＣ連結の再構成メッセージとＲＲＣ連結の再構成の完了メッセージを交換する手続きが別に必要である。二番目の問題は、リレーｅＮＢがコール許可制御の過程でコール許可に失敗する場合の中で多い場合が、マクロｅＮＢとリレーｅＮＢの間の無線リンク上に資源の確保にならなくて発生するという点に起因する。リレーｅＮＢは、マクロｅＮＢからＵＥのコールを要請するハンドオーバーの要請メッセージを受信することによって、前記のＵＥのコール要請を許可するかどうかを決めるコール許可制御を実行する。この時、リレーｅＮＢとＵＥの間の無線リンクの資源の量が多いと言っても、マクロｅＮＢとリレーｅＮＢの間の無線リンクの資源の量が制限されていれば、リレーｅＮＢはＵＥのコール要請を許可することができなくなる。
【発明の概要】
【発明が解決しようとする課題】
【０００６】
本発明の目的は、コードレス通信システムでハンドオーバー装置及び方法を提供することにある。
本発明の他の目的は、コードレス通信システムでマクロｅＮＢからリレーｅＮＢへのＵＥの效率的なハンドオーバーのための装置及び方法を提供することにある。
【０００７】
本発明のまた他の目的は、コードレス通信システムでマクロｅＮＢからリレーｅＮＢへのＵＥのハンドオーバーのために、マクロｅＮＢとリレーｅＮＢが取り交わすＸ２シグナリングメッセージとＲＲＣシグナリングメッセージを統合して、マクロｅＮＢとリレーｅＮＢの間に取り交わすメッセージの量を減少させるための装置及び方法を提供することにある。
【０００８】
本発明のまた他の目的は、コードレス通信システムでマクロｅＮＢからリレーｅＮＢへのＵＥのハンドオーバーのために、マクロｅＮＢがリレーｅＮＢより先にコール許可制御を実行して不必要にハンドオーバーシグナリングメッセージが交換される場合を減らすための装置及び方法を提供することにある。
【課題を解決するための手段】
【０００９】
前述の目的を果たすための本発明の第１見地によれば、コードレス通信システムでマクロｅＮＢがＵＥのハンドオーバーを支援するための方法は、ＵＥに対するリレーｅＮＢへのハンドオーバーを決める過程と、前記のＵＥに対するハンドオーバーを要請するハンドオーバーの要請メッセージと、マクロｅＮＢとリレーｅＮＢの間のＲＲＣ連結の設定を要請するＲＲＣ連結の設定のメッセージを統合して、ハンドオーバーの要請及びＲＲＣ連結の設定のメッセージを前記のリレーｅＮＢに送信する過程と、前記のリレーｅＮＢからハンドオーバーの要請の応答メッセージとＲＲＣ連結の設定の応答メッセージが統合されたハンドオーバーの要請の応答及びＲＲＣ連結の設定の応答メッセージを受信する過程と、を含むことを特徴とする。
【００１０】
前述の目的を果たすための本発明の第２見地によれば、コードレス通信システムでリレーｅＮＢがＵＥのハンドオーバーを支援するための方法は、マクロｅＮＢから、前記のＵＥに対するハンドオーバーを要請するハンドオーバーの要請メッセージと、マクロｅＮＢとリレーｅＮＢの間のＲＲＣ連結の設定/再構成を要請するＲＲＣ連結の設定/再構成のメッセージが統合された、ハンドオーバーの要請及びＲＲＣ連結の設定/再構成のメッセージを受信する過程と、前記のＵＥに対するコール許可制御を実行する過程と、前記のコール許可制御の実行結果によって、ハンドオーバーの要請の応答メッセージとＲＲＣ連結の設定/再構成の応答メッセージを統合して、ハンドオーバーの要請の応答及びＲＲＣ連結の設定/再構成の応答メッセージを前記のマクロｅＮＢに送信する過程と、を含むことを特徴とする。
【００１１】
前述の目的を果たすための本発明の第３見地によれば、コードレス通信システムでＵＥのハンドオーバーを支援するためのマクロｅＮＢは、ＵＥに対するリレーｅＮＢへのハンドオーバー決定によって、前記のＵＥに対するハンドオーバーを要請するハンドオーバーの要請メッセージと、マクロｅＮＢとリレーｅＮＢの間のＲＲＣ連結の設定を要請するＲＲＣ連結の設定のメッセージを統合して、ハンドオーバーの要請及びＲＲＣ連結の設定のメッセージを生成するメッセージの統合器/分離器と、前記の生成されたハンドオーバーの要請及びＲＲＣ連結の設定のメッセージを前記のリレーｅＮＢに送信して、前記のリレーｅＮＢからハンドオーバーの要請の応答メッセージとＲＲＣ連結の設定の応答メッセージが統合されたハンドオーバーの要請の応答及びＲＲＣ連結の設定の応答メッセージを受信する物理-無線リンクの階層と、を含むことを特徴とする。
【００１２】
前述の目的を果たすための本発明の第４見地によれば、コードレス通信システムでＵＥのハンドオーバーを支援するためのリレーｅＮＢは、マクロｅＮＢから、前記のＵＥに対するハンドオーバーを要請するハンドオーバーの要請メッセージと、マクロｅＮＢとリレーｅＮＢの間のＲＲＣ連結の設定/再構成を要請するＲＲＣ連結の設定/再構成のメッセージが統合された、ハンドオーバーの要請及びＲＲＣ連結の設定/再構成のメッセージを受信する物理-無線リンクの階層と、前記のＵＥに対するコール許可制御を実行するＸ２シグナリング制御器と、前記のコール許可制御の実行結果によって、ハンドオーバーの要請の応答メッセージとＲＲＣ連結の設定/再構成の応答メッセージを統合して、ハンドオーバーの要請の応答及びＲＲＣ連結の設定/再構成の応答メッセージを生成するメッセージの統合器/分離器と、を含み、ここで、前記の物理-無線リンクの階層は、前記の生成されたハンドオーバーの要請の応答及びＲＲＣ連結の設定/再構成の応答メッセージを前記のマクロｅＮＢに送信することを特徴とする。
【図面の簡単な説明】
【００１３】
【図１】図１は本発明によるコードレス通信システムでＵＥがマクロｅＮＢからリレーｅＮＢへハンドオーバーする過程を図示する図面である。
【図２】図２は本発明の実施例によるコードレス通信システムでマクロｅＮＢからＲＲＣ連結がないリレーｅＮＢへのハンドオーバーのためのハンドオーバーシグナリングメッセージの交換の手続きを図示する図面である。
【図３】図３は本発明の実施例によるコードレス通信システムでマクロｅＮＢからＲＲＣ連結がないリレーｅＮＢへのハンドオーバーのためのハンドオーバーシグナリングメッセージの交換の手続きを図示する図面である。
【図４】図４は本発明の実施例によるコードレス通信システムでマクロｅＮＢからＲＲＣ連結がないリレーｅＮＢへのハンドオーバーのためのハンドオーバーシグナリングメッセージの交換の手続きを図示する図面である。
【図５】図５は本発明の実施例によるコードレス通信システムでマクロｅＮＢからＲＲＣ連結があるリレーｅＮＢへのハンドオーバーのためのハンドオーバーシグナリングメッセージの交換の手続きを図示する図面である。
【図６】図６は本発明の実施例によるコードレス通信システムでマクロｅＮＢからＲＲＣ連結があるリレーｅＮＢへのハンドオーバーのためのハンドオーバーシグナリングメッセージの交換の手続きを図示する図面である。
【図７】図７は本発明によるコードレス通信システムでＵＥがマクロｅＮＢから他のマクロｅＮＢのリレーｅＮＢへハンドオーバーする過程を図示する図面である。
【図８】図８は本発明の実施例によるコードレス通信システムで第１マクロｅＮＢから第２マクロｅＮＢを通じてＲＲＣ連結がないリレーｅＮＢへのハンドオーバーのためのハンドオーバーシグナリングメッセージの交換の手続きを図示する図面である。
【図９】図９は本発明の実施例によるコードレス通信システムでマクロｅＮＢの動作方法を図示する流れ図である。
【図１０】図１０は本発明の実施例によるコードレス通信システムでリレーｅＮＢの動作方法を図示する流れ図である。
【図１１】図１１は本発明によるコードレス通信システムでマクロｅＮＢとリレーｅＮＢの装置構成を図示するブロック図である。
【発明を実施するための形態】
【００１４】
以下の本発明の好ましい実施例を添付された図面を参照して説明する。そして、本発明を説明するにおいて、係わる公知機能あるいは構成に対する具体的な説明が本発明の要旨を不必要に濁すことができると判断された場合はその詳細な説明は省略する。
【００１５】
以下の本発明では、コードレス通信システムでマクロｅＮＢからリレーｅＮＢへのＵＥの效率的なハンドオーバーのための装置及び方法に関して説明する。特に、本発明は、マクロｅＮＢとリレーｅＮＢが取り交わすＸ２シグナリングメッセージとＲＲＣシグナリングメッセージを統合して新しいハンドオーバーシグナリングメッセージを定義して、マクロｅＮＢがリレーｅＮＢより先にコール許可制御を実行して不必要なハンドオーバーシグナリングメッセージの交換を減らすための方案に関して説明する。
【００１６】
以下の説明は、３ＧＰＰ  ＬＴＥのＬ３中継システムを例で説明するが、ハンドオーバーを考慮する他のコードレス通信システムにも等しく適用されることができる。また、前記のコードレス通信システムは、例えば、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下‘ＯＦＤＭ’と称する）/直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：以下‘ＯＦＤＭＡ’と称する）方式を用いる通信システムで、前記のＯＦＤＭ/ＯＦＤＭＡ方式を用いるため多数の副搬送波（ｓｕｂ−ｃａｒｒｉｅｒ）を用いて物理チャンネル信号を送信することで高速データ送信が可能であり、多重セル（ｍｕｌｔｉ−ｃｅｌｌ）構造を通じてＵＥの移動性を支援することができる。
【００１７】
図１は、本発明によるコードレス通信システムでＵＥがマクロｅＮＢからリレーｅＮＢへハンドオーバーする過程を図示している。
【００１８】
前記の図１を参照すれば、マクロｅＮＢ１１０に接続してサービスを受けていたＵＥ１００が移動によってマクロｅＮＢ１１０のセル領域内のリレーｅＮＢ１２０のサービスセル領域に進入する場合が発生しうる。この場合の前記のＵＥ１００はマクロｅＮＢ１１０からリレーｅＮＢ１２０へハンドオーバーを実行するようになる。
【００１９】
図２は、本発明の実施例によるコードレス通信システムでマクロｅＮＢからＲＲＣ連結がないリレーｅＮＢへのハンドオーバーのためのハンドオーバーシグナリングメッセージの交換の手続きを図示している。ここで、前記の図２はリレーｅＮＢのコール許可制御が成功してハンドオーバーの過程が成功した場合の例を図示している。
【００２０】
前記の図２を参照すれば、マクロｅＮＢ２１０に接続してサービスを受けているＵＥ２００は周期的にまたはイベントの発生によって、リレーｅＮＢ２２０を含んで隣接マクロｅＮＢ及び隣接リレーｅＮＢとのチャンネルの状態を測定して、測定の結果を含む測定報告のメッセージを前記のマクロｅＮＢ２１０へ送信する（２０１段階）。
【００２１】
前記の測定報告のメッセージを受信するマクロｅＮＢ２１０は、前記の測定の結果を土台にしてＵＥ２００に対する隣接マクロｅＮＢ（または隣接リレーｅＮＢ）へのハンドオーバーの実行の可否を決める（２０３段階）。もし、ＵＥ２００と隣接マクロｅＮＢ（または隣接リレーｅＮＢ）の間のチャンネルの状態が、ＵＥ２００とマクロｅＮＢ２１０の間のチャンネルの状態より良好な場合、前記のマクロｅＮＢ２１０は、前記のＵＥ２００に対して当該の隣接マクロｅＮＢ（または隣接リレーｅＮＢ）へのハンドオーバーの実行を決めることができる。本発明では、ＵＥ２００がマクロｅＮＢ２１０からリレーｅＮＢ２２０へＬ３中継ハンドオーバーを実行する状況を考慮して、したがって以下の説明はＵＥ２００とリレーｅＮＢ２２０の間のチャンネルの状態がＵＥ２００とマクロｅＮＢ２１０の間のチャンネルの状態より良好で、前記のマクロｅＮＢ２１０が前記のＵＥ２００に対してリレーｅＮＢ２２０へのハンドオーバーの実行を決める状況を仮定する。
【００２２】
前記のＵＥ２００に対してリレーｅＮＢ２２０へのハンドオーバーの実行を決めた場合、マクロｅＮＢ２１０は、ターゲットｅＮＢであるリレーｅＮＢ２２０より先に前記のＵＥ２００のコール要請に対するコール許可制御を実行する（２０５段階）。ここで、前記のマクロｅＮＢ２１０がコール許可制御を実行する理由は、前記のＵＥ２００に対するリレーｅＮＢ２２０へのハンドオーバーが成功するようになれば、マクロｅＮＢ２１０からリレーｅＮＢ２２０を経ってＵＥ２００へ送受信されるデータはマクロｅＮＢ２１０の無線リンクの資源を用いるからである。前記のマクロｅＮＢ２１０の無線リンクの資源が不十分な場合、リレーｅＮＢ２２０からＵＥ２００のコール要請に対するコール許可制御に成功してハンドオーバーに成功すると言っても、マクロｅＮＢ２１０からリレーｅＮＢ２２０への送信が不可能でデータドロップ（ｄｒｏｐ）が発生しうる。すなわち、前記のマクロｅＮＢ２１０でコール許可制御の目的は、マクロｅＮＢ２１０からあらかじめリレーｅＮＢ２２０への無線リンクの資源の割り当てが可能かどうかを確認することで、ハンドオーバーの成功の後に発生しうるデータのドロップを防止するためである。ここで、前記のマクロｅＮＢ２１０は、マクロｅＮＢ２１０とリレーｅＮＢ２２０の間の無線リンクの資源の量を確認して前記のＵＥ２００のコール要請に対するコール許可制御を実行して、これでマクロｅＮＢ２１０とリレーｅＮＢ２２０の間の無線リンクの資源の量が前記のリレーｅＮＢ２２０に無線リンクの資源を割り当てるに十分な場合、すなわちマクロｅＮＢ２１０とリレーｅＮＢ２２０の間の無線リンクの資源の量が前記のＵＥ２００のハンドオーバーによって前記のリレーｅＮＢ２２０に割り当てしなければならない無線リンクの資源の量より大きいか同じ場合は、前記のＵＥ２００のコール要請に対して許可を決めて、そうではない場合は拒絶を決めることができる。
【００２３】
前記のＵＥ２００のコール要請に対して許可を決めた場合、前記のマクロｅＮＢ２１０はハンドオーバーの要請メッセージとＲＲＣ連結の設定のメッセージを統合して、ハンドオーバーの要請及びＲＲＣ連結の設定のメッセージをリレーｅＮＢ２２０へ送信する（２０７段階）。すなわち、前記のマクロｅＮＢ２１０は、Ｘ２シグナリングメッセージとＲＲＣシグナリングメッセージを同時に前記のリレーｅＮＢ２２０へ送信する。ここで、前記のマクロｅＮＢ２１０が送信するハンドオーバーの要請及びＲＲＣ連結の設定のメッセージの中でＲＲＣ連結の設定の部分は、リレーｅＮＢ２２０がＵＥ２００と違い移動が少ないということを仮定して、マクロｅＮＢ２１０が希望する場合にリレーｅＮＢ２２０にすぐＲＲＣ連結を作るようにするための部分である。
【００２４】
前記のハンドオーバーの要請及びＲＲＣ連結の設定のメッセージを受信するリレーｅＮＢ２２０は、前記のＵＥ２００のコール要請に対するコール許可制御を実行する（２０９段階）。ここで、前記のリレーｅＮＢ２２０はリレーｅＮＢ２２０とＵＥ２００の間の無線リンクの資源の量を確認して前記のＵＥ２００のコール要請に対するコール許可制御を実行して、これでリレーｅＮＢ２２０とＵＥ２００の間の無線リンクの資源の量が前記のＵＥ２００に無線リンクの資源を割り当てるに十分な場合、すなわちリレーｅＮＢ２２０とＵＥ２００の間の無線リンクの資源の量が前記のＵＥ２００のハンドオーバーによって前記のＵＥ２００に割り当てしなければならない無線リンクの資源の量より大きいか同じ場合は、前記のＵＥ２００のコール要請に対して許可を決めて、そうではない場合は拒絶を決めることができる。
【００２５】
以後、前記のリレーｅＮＢ２２０は前記のコール許可制御によってＵＥ２００のコール要請に対して許可を決めた場合、ＲＲＣ連結を設定して、ハンドオーバーの要請のＡＣＫ応答メッセージとＲＲＣ連結の設定完了の応答メッセージを統合して、ハンドオーバーの要請のＡＣＫ応答及びＲＲＣ連結の設定完了の応答メッセージを前記のマクロｅＮＢ２１０に送信する（２１１段階）。
【００２６】
前記のハンドオーバーの要請のＡＣＫ応答及びＲＲＣ連結の設定完了の応答メッセージを受信するマクロｅＮＢ２１０は、前記のリレーｅＮＢ２２０へのハンドオーバーが可能なことを判断して、前記のＵＥ２００にハンドオーバー命令のメッセージを送信して、前記のリレーｅＮＢ２２０へのハンドオーバーを命令する（２１３段階）。
【００２７】
図３は本発明の実施例によるコードレス通信システムでマクロｅＮＢからＲＲＣ連結がないリレーｅＮＢへのハンドオーバーのためのハンドオーバーシグナリングメッセージの交換の手続きを図示している。ここで、前記の図３はリレーｅＮＢのコール許可制御が失敗してハンドオーバーの過程が失敗した場合の例を図示している。
【００２８】
前記の図３を参照すれば、前記の図３の３０１段階ないし３０９段階は前記の図２の２０１段階ないし２０９段階と等しく、したがって３０１段階ないし３０９段階に対する説明は省略することにする。
【００２９】
前記の３０９段階の以後、リレーｅＮＢ３２０はコール許可制御によってＵＥ３００のコール要請に対して拒絶を決めた場合、ハンドオーバーの要請のＮＡＣＫ応答メッセージとＲＲＣ連結の設定失敗の応答メッセージを統合して、ハンドオーバーの要請のＮＡＣＫ応答及びＲＲＣ連結の設定失敗の応答メッセージを前記のマクロｅＮＢ３１０に送信する（３１１段階）。この時、前記のハンドオーバーの要請のＮＡＣＫ応答及びＲＲＣ連結の設定失敗の応答メッセージを受信するマクロｅＮＢ３１０は、前記のリレーｅＮＢ３２０へのハンドオーバーが不可能なことを判断して、前記のＵＥ３００のハンドオーバーの手続きを終了する。
【００３０】
図４は、本発明の実施例によるコードレス通信システムでマクロｅＮＢからＲＲＣ連結がないリレーｅＮＢへのハンドオーバーのためのハンドオーバーシグナリングメッセージの交換の手続きを図示している。ここで、前記の図４は、マクロｅＮＢのコール許可制御が失敗してハンドオーバーシグナリングメッセージの交換の以前に、ハンドオーバーの過程が失敗した場合の例を図示している。
【００３１】
前記の図４を参照すれば、マクロｅＮＢ４１０に接続してサービスを受けているＵＥ４００は周期的にまたはイベントの発生によって、リレーｅＮＢ４２０を含んで隣接マクロｅＮＢ及び隣接リレーｅＮＢとのチャンネルの状態を測定して、測定の結果を含む測定報告のメッセージを前記のマクロｅＮＢ４１０に送信する（４０１段階）。
【００３２】
前記の測定報告のメッセージを受信するマクロｅＮＢ４１０は、前記の測定の結果を土台にしてＵＥ４００に対する隣接マクロｅＮＢ（または隣接リレーｅＮＢ）へのハンドオーバーの実行の可否を決める（４０３段階）。もし、ＵＥ４００と隣接マクロｅＮＢ（または隣接リレーｅＮＢ）の間のチャンネルの状態がＵＥ４００とマクロｅＮＢ４１０の間のチャンネルの状態より良好な場合、前記のマクロｅＮＢ４１０は前記のＵＥ４００に対して当該の隣接マクロｅＮＢ（または隣接リレーｅＮＢ）へのハンドオーバーの実行を決めることができる。本発明ではＵＥ４００がマクロｅＮＢ４１０からリレーｅＮＢ４２０にＬ３中継のハンドオーバーを実行する状況を考慮して、したがって以下の説明はＵＥ４００とリレーｅＮＢ４２０の間のチャンネルの状態がＵＥ４００とマクロｅＮＢ４１０の間のチャンネルの状態より良好で、前記のマクロｅＮＢ４１０が前記のＵＥ４００に対してリレーｅＮＢ４２０へのハンドオーバーの実行を決める状況を仮定する。
【００３３】
前記のＵＥ４００に対してリレーｅＮＢ４２０へのハンドオーバーの実行を決めた場合、マクロｅＮＢ４１０は、ターゲットｅＮＢであるリレーｅＮＢ４２０より先に前記のＵＥ４００のコール要請に対するコール許可制御を実行する（４０５段階）。ここで、前記のマクロｅＮＢ４１０は、マクロｅＮＢ４１０とリレーｅＮＢ４２０の間の無線リンクの資源の量を確認して前記のＵＥ４００のコール要請に対するコール許可制御を実行して、これでマクロｅＮＢ４１０とリレーｅＮＢ４２０の間の無線リンクの資源の量が前記のリレーｅＮＢ４２０に無線リンクの資源を割り当てるに十分な場合、すなわちマクロｅＮＢ４１０とリレーｅＮＢ４２０の間の無線リンクの資源の量が前記のＵＥ４００のハンドオーバーによって前記のリレーｅＮＢ４２０に割り当てしなければならない無線リンクの資源の量より大きいか同じ場合は、前記のＵＥ４００のコール要請に対して許可を決めて、そうではない場合は拒絶を決めることができる。ここで前記のＵＥ４００のコール要請に対して拒絶を決めた場合、前記のマクロｅＮＢ４１０は前記のリレーｅＮＢ４２０へのハンドオーバーが不可能なことを判断して、前記のＵＥ４００のハンドオーバーの手続きを終了する。
【００３４】
図５は、本発明の実施例によるコードレス通信システムでマクロｅＮＢからＲＲＣ連結があるリレーｅＮＢへのハンドオーバーのためのハンドオーバーシグナリングメッセージの交換の手続きを図示している。ここで、前記の図５はリレーｅＮＢのコール許可制御が成功してハンドオーバーの過程が成功した場合の例を図示している。
【００３５】
前記の図５を参照すれば、マクロｅＮＢ５１０に接続してサービスを受けているＵＥ５００は周期的にまたはイベントの発生によって、リレーｅＮＢ５２０を含んで隣接マクロｅＮＢ及び隣接リレーｅＮＢとのチャンネルの状態を測定して、測定の結果を含む測定報告のメッセージを前記のマクロｅＮＢ５１０に送信する（５０１段階）。
【００３６】
前記の測定報告のメッセージを受信するマクロｅＮＢ５１０は、前記の測定の結果を土台にしてＵＥ５００に対する隣接マクロｅＮＢ（または隣接リレーｅＮＢ）へのハンドオーバーの実行の可否を決める（５０３段階）。もし、ＵＥ５００と隣接マクロｅＮＢ（または隣接リレーｅＮＢ）の間のチャンネルの状態がＵＥ５００とマクロｅＮＢ５１０の間のチャンネルの状態より良好な場合、前記のマクロｅＮＢ５１０は前記のＵＥ５００に対して当該の隣接マクロｅＮＢ（または隣接リレーｅＮＢ）へのハンドオーバーの実行を決めることができる。本発明ではＵＥ５００がマクロｅＮＢ５１０からリレーｅＮＢ５２０へＬ３中継のハンドオーバーを実行する状況を考慮して、したがって以下の説明はＵＥ５００とリレーｅＮＢ５２０の間のチャンネルの状態がＵＥ５００とマクロｅＮＢ５１０の間のチャンネルの状態より良好で、前記のマクロｅＮＢ５１０が前記のＵＥ５００に対してリレーｅＮＢ５２０へのハンドオーバーの実行を決める状況を仮定する。
【００３７】
前記のＵＥ５００に対してリレーｅＮＢ５２０へのハンドオーバーの実行を決めた場合、マクロｅＮＢ５１０は、ターゲットｅＮＢであるリレーｅＮＢ５２０より先に前記のＵＥ５００のコール要請に対するコール許可制御を実行する（５０５段階）。ここで、前記のマクロｅＮＢ５１０は、マクロｅＮＢ５１０とリレーｅＮＢ５２０の間の無線リンクの資源の量を確認して前記のＵＥ５００のコール要請に対するコール許可制御を実行して、これでマクロｅＮＢ５１０とリレーｅＮＢ５２０の間の無線リンクの資源の量が前記のリレーｅＮＢ５２０に無線リンクの資源を割り当てるに十分な場合、すなわちマクロｅＮＢ５１０とリレーｅＮＢ５２０の間の無線リンクの資源の量が前記のＵＥ５００のハンドオーバーによって前記のリレーｅＮＢ５２０に割り当てしなければならない無線リンクの資源の量より大きいか同じ場合は、前記のＵＥ５００のコール要請に対して許可を決めて、そうではない場合は拒絶を決めることができる。
【００３８】
前記のＵＥ５００のコール要請に対して許可を決めた場合、前記のマクロｅＮＢ５１０はハンドオーバーの要請メッセージとＲＲＣ連結の再構成メッセージを統合して、ハンドオーバーの要請及びＲＲＣ連結の再構成メッセージをリレーｅＮＢ５２０に送信する（５０７段階）。すなわち、前記のマクロｅＮＢ５１０はＸ２シグナリングメッセージとＲＲＣシグナリングメッセージを同時に前記のリレーｅＮＢ５２０に送信する。
【００３９】
前記のハンドオーバーの要請及びＲＲＣ連結の再構成メッセージを受信するリレーｅＮＢ５２０は、前記のＵＥ５００のコール要請に対するコール許可制御を実行する（５０９段階）。ここで、前記のリレーｅＮＢ５２０は、リレーｅＮＢ５２０とＵＥ５００の間の無線リンクの資源の量を確認して前記のＵＥ５００のコール要請に対するコール許可制御を実行して、これでリレーｅＮＢ５２０とＵＥ５００の間の無線リンクの資源の量が前記のＵＥ５００に無線リンクの資源を割り当てるに十分な場合、すなわちリレーｅＮＢ５２０とＵＥ５００の間の無線リンクの資源の量が前記のＵＥ５００のハンドオーバーによって前記のＵＥ５００に割り当てしなければならない無線リンクの資源の量より大きいか同じ場合は、前記のＵＥ５００のコール要請に対して許可を決めて、そうではない場合は拒絶を決めることができる。
【００４０】
以後、前記のリレーｅＮＢ５２０は前記のコール許可制御によってＵＥ５００のコール要請に対して許可を決めた場合、ＲＲＣ連結を再構成して、ハンドオーバーの要請のＡＣＫ応答メッセージとＲＲＣ連結の再構成完了の応答メッセージを統合して、ハンドオーバーの要請のＡＣＫ応答及びＲＲＣ連結の再構成完了の応答メッセージを前記のマクロｅＮＢ５１０に送信する（５１１段階）。
【００４１】
前記のハンドオーバーの要請のＡＣＫ応答及びＲＲＣ連結の再構成完了の応答メッセージを受信するマクロｅＮＢ５１０は、前記のリレーｅＮＢ５２０へのハンドオーバーが可能なことを判断して、前記のＵＥ５００にハンドオーバー命令のメッセージを送信して、前記のリレーｅＮＢ５２０へのハンドオーバーを命令する（５１３段階）。
【００４２】
図６は、本発明の実施例によるコードレス通信システムでマクロｅＮＢからＲＲＣ連結があるリレーｅＮＢへのハンドオーバーのためのハンドオーバーシグナリングメッセージの交換の手続きを図示している。ここで、前記の図６は、リレーｅＮＢのコール許可制御が失敗してハンドオーバーの過程が失敗した場合の例を図示している。
【００４３】
前記の図６を参照すれば、前記の図６の６０１段階ないし６０９段階は前記の図５の５０１段階ないし５０９段階と等しく、したがって６０１段階ないし６０９段階に対する説明は省略することにする。
【００４４】
前記の６０９段階の以後、リレーｅＮＢ６２０はコール許可制御によってＵＥ６００のコール要請に対して拒絶を決めた場合、ハンドオーバーの要請のＮＡＣＫ応答メッセージとＲＲＣ連結の再構成失敗の応答メッセージを統合してハンドオーバーの要請のＮＡＣＫ応答及びＲＲＣ連結の再構成失敗の応答メッセージを前記のマクロｅＮＢ６１０に送信する（６１１段階）。この時、前記のハンドオーバーの要請のＮＡＣＫ応答及びＲＲＣ連結の再構成失敗の応答メッセージを受信するマクロｅＮＢ６１０は、前記のリレーｅＮＢ６２０へのハンドオーバーが不可能なことを判断して、前記のＵＥ６００のハンドオーバーの手続きを終了する。
【００４５】
図７は本発明によるコードレス通信システムでＵＥがマクロｅＮＢから他のマクロｅＮＢのリレーｅＮＢへハンドオーバーする過程を図示している。
【００４６】
前記の図７を参照すれば、第１マクロｅＮＢ７１０と第２マクロｅＮＢ７２０が存在する環境で、第１マクロｅＮＢ７１０に接続してサービスを受けていたＵＥ７００が移動によって第２マクロｅＮＢ７２０のセル領域内のリレーｅＮＢ７３０のサービスセル領域に進入する場合が発生しうる。この場合の前記のＵＥ７００は、第１マクロｅＮＢ７１０から第２マクロｅＮＢ７２０のセル領域内のリレーｅＮＢ７３０へハンドオーバーを実行するようになる。
【００４７】
図８は、本発明の実施例によるコードレス通信システムで第１マクロｅＮＢから第２マクロｅＮＢを通じてＲＲＣ連結がないリレーｅＮＢへのハンドオーバーのためのハンドオーバーシグナリングメッセージの交換の手続きを図示している。ここで、前記の図８は、リレーｅＮＢのコール許可制御が成功してハンドオーバーの過程が成功した場合の例を図示している。
【００４８】
前記の図８を参照すれば、第１マクロｅＮＢ８１０に接続してサービスを受けているＵＥ８００は、周期的にまたはイベントの発生によって、第２マクロｅＮＢ８２０内のリレーｅＮＢ８３０を含んでいる隣接マクロｅＮＢ及び隣接リレーｅＮＢとのチャンネルの状態を測定して、測定の結果を含む測定報告のメッセージを前記の第１マクロｅＮＢ８１０に送信する（８０１段階）。
【００４９】
前記の測定報告のメッセージを受信する第１マクロｅＮＢ８１０は前記の測定の結果を土台にしてＵＥ８００に対する隣接マクロｅＮＢ（または隣接リレーｅＮＢ）へのハンドオーバーの実行の可否を決める（８０３段階）。もし、ＵＥ８００と隣接マクロｅＮＢ（または隣接リレーｅＮＢ）の間のチャンネルの状態がＵＥ８００と第１マクロｅＮＢ８１０の間のチャンネルの状態より良好な場合、前記の第１マクロｅＮＢ８１０は、前記のＵＥ８００に対して当該の隣接マクロｅＮＢ（または隣接リレーｅＮＢ）へのハンドオーバーの実行を決めることができる。本発明ではＵＥ８００が第１マクロｅＮＢ８１０からリレーｅＮＢ８３０へＬ３中継のハンドオーバーを実行する状況を考慮して、したがって以下の説明はＵＥ８００とリレーｅＮＢ８３０の間のチャンネルの状態がＵＥ８００と第１マクロｅＮＢ８１０の間のチャンネルの状態より良好で、前記の第１マクロｅＮＢ８１０が前記のＵＥ８００に対してリレーｅＮＢ８３０へのハンドオーバーの実行を決める状況を仮定する。
【００５０】
前記のＵＥ８００に対してリレーｅＮＢ８３０へのハンドオーバーの実行を決めた場合、第１マクロｅＮＢ８１０は、前記の第２マクロｅＮＢ８２０にハンドオーバーの要請メッセージを送信する（８０５段階）。
【００５１】
前記のハンドオーバーの要請メッセージを受信する第２マクロｅＮＢ８２０は、前記のリレーｅＮＢ８３０より先に前記のＵＥ８００のコール要請に対するコール許可制御を実行する（８０７段階）。ここで、前記の第２マクロｅＮＢ８２０は、第２マクロｅＮＢ８２０とリレーｅＮＢ８３０の間の無線リンクの資源の量を確認して前記のＵＥ８００のコール要請に対するコール許可制御を実行して、これで第２マクロｅＮＢ８２０とリレーｅＮＢ８３０の間の無線リンクの資源の量が前記のリレーｅＮＢ８３０に無線リンクの資源を割り当てるに十分な場合、すなわち第２マクロｅＮＢ８２０とリレーｅＮＢ８３０の間の無線リンクの資源の量が前記のＵＥ８００のハンドオーバーによって前記のリレーｅＮＢ８３０に割り当てしなければならない無線リンクの資源の量より大きいか同じ場合は、前記のＵＥ８００のコール要請に対して許可を決めて、そうではない場合は拒絶を決めることができる。
【００５２】
前記のＵＥ８００のコール要請に対して許可を決めた場合、前記の第２マクロｅＮＢ８２０は、ハンドオーバーの要請メッセージとＲＲＣ連結の設定のメッセージを統合して、ハンドオーバーの要請及びＲＲＣ連結の設定のメッセージをリレーｅＮＢ８３０に送信する（８０９段階）。すなわち、前記の第２マクロｅＮＢ８２０は、Ｘ２シグナリングメッセージとＲＲＣシグナリングメッセージを同時に前記のリレーｅＮＢ８３０に送信する。
【００５３】
前記のハンドオーバーの要請及びＲＲＣ連結の設定のメッセージを受信するリレーｅＮＢ８３０は、前記のＵＥ８００のコール要請に対するコール許可制御を実行する（８１１段階）。ここで、前記のリレーｅＮＢ８３０は、リレーｅＮＢ８３０とＵＥ８００の間の無線リンクの資源の量を確認して前記のＵＥ８００のコール要請に対するコール許可制御を実行して、これでリレーｅＮＢ８３０とＵＥ８００の間の無線リンクの資源の量が前記のＵＥ８００に無線リンクの資源を割り当てるに十分な場合、すなわちリレーｅＮＢ８３０とＵＥ８００の間の無線リンクの資源の量が前記のＵＥ８００のハンドオーバーによって前記のＵＥ８００に割り当てしなければならない無線リンクの資源の量より大きいか同じ場合は、前記のＵＥ８００のコール要請に対して許可を決めて、そうではない場合は拒絶を決めることができる。
【００５４】
以後、前記のリレーｅＮＢ８３０は前記のコール許可制御によってＵＥ８００のコール要請に対して許可を決めた場合、ＲＲＣ連結を設定して、ハンドオーバーの要請のＡＣＫ応答メッセージとＲＲＣ連結の設定完了の応答メッセージを統合してハンドオーバーの要請のＡＣＫ応答及びＲＲＣ連結の設定完了の応答メッセージを前記の第２マクロｅＮＢ８２０に送信する（８１３段階）。
【００５５】
前記のハンドオーバーの要請のＡＣＫ応答及びＲＲＣ連結の設定完了の応答メッセージを受信する第２マクロｅＮＢ８２０は、第１マクロｅＮＢ８１０にハンドオーバーの要請のＡＣＫ応答メッセージを送信する（８１５段階）。
【００５６】
前記のハンドオーバーの要請のＡＣＫ応答メッセージを受信する第１マクロｅＮＢ８１０は、前記のリレーｅＮＢ８３０へのハンドオーバーが可能なことを判断して、前記のＵＥ８００にハンドオーバー命令のメッセージを送信して、前記のリレーｅＮＢ８３０へのハンドオーバーを命令する（８１７段階）。
【００５７】
一方、図示しなかったが、前記の図８のリレーｅＮＢ８３０はコール許可制御によってＵＥ８００のコール要請に対して拒絶を決めた場合、ハンドオーバーの要請のＮＡＣＫ応答メッセージとＲＲＣ連結の設定失敗の応答メッセージを統合してハンドオーバーの要請のＮＡＣＫ応答及びＲＲＣ連結の設定失敗の応答メッセージを前記の第２マクロｅＮＢ８２０に送信する。また、前記のハンドオーバーの要請のＮＡＣＫ応答及びＲＲＣ連結の設定失敗の応答メッセージを受信する第２マクロｅＮＢ８２０は第１マクロｅＮＢ８１０にハンドオーバーの要請のＮＡＣＫ応答メッセージを送信する。この時、前記のハンドオーバーの要請のＮＡＣＫ応答メッセージを受信する第１マクロｅＮＢ８１０は、前記のリレーｅＮＢ８３０へのハンドオーバーが不可能なことを判断して、前記のＵＥ８００のハンドオーバーの手続きを終了する。
【００５８】
また、図示しなかったが、前記の図８の第２マクロｅＮＢ８２０はコール許可制御によってＵＥ８００のコール要請に対して拒絶を決めた場合、第１マクロｅＮＢ８１０にハンドオーバーの要請のＮＡＣＫ応答メッセージを送信する。この時、前記のハンドオーバーの要請のＮＡＣＫ応答メッセージを受信する第１マクロｅＮＢ８１０は前記のリレーｅＮＢ８３０へのハンドオーバーが不可能なことを判断して、前記のＵＥ８００のハンドオーバーの手続きを終了する。
【００５９】
一方、本発明の実施例によるコードレス通信システムで第１マクロｅＮＢから第２マクロｅＮＢを通じてＲＲＣ連結があるリレーｅＮＢへのハンドオーバーのためのハンドオーバーシグナリングメッセージの交換の手続きの場合、前記の図８でハンドオーバーの要請メッセージとＲＲＣ連結の設定のメッセージを統合したハンドオーバーの要請及びＲＲＣ連結の設定のメッセージの代りに、ハンドオーバーの要請メッセージとＲＲＣ連結の再構成メッセージを統合したハンドオーバーの要請及びＲＲＣ連結の再構成メッセージを用いる。また、この場合は前記の図８でハンドオーバーの要請のＡＣＫ/ＮＡＣＫ応答メッセージとＲＲＣ連結の設定の完了/失敗の応答メッセージを統合したハンドオーバーの要請のＡＣＫ/ＮＡＣＫ応答及びＲＲＣ連結の設定の完了/失敗の応答メッセージの代りに、ハンドオーバーの要請のＡＣＫ/ＮＡＣＫ応答メッセージとＲＲＣ連結の再構成の完了/失敗の応答メッセージを統合したハンドオーバーの要請のＡＣＫ/ＮＡＣＫ応答及びＲＲＣ連結の再構成の完了/失敗の応答メッセージを用いる。
【００６０】
図９は、本発明の実施例によるコードレス通信システムでマクロｅＮＢの動作方法を図示する流れ図である。
【００６１】
前記の図９を参照すれば、マクロｅＮＢはＵＥから周期的にまたはイベントの発生によって隣接マクロｅＮＢ及び隣接リレーｅＮＢとのチャンネルの状態を測定した結果を含む測定報告のメッセージを受信して、前記の測定の結果を土台にしてＵＥに対する隣接マクロｅＮＢ（または隣接リレーｅＮＢ）へのハンドオーバーの実行の可否を決める。もし、ＵＥと隣接マクロｅＮＢ（または隣接リレーｅＮＢ）の間のチャンネルの状態がＵＥとマクロｅＮＢの間のチャンネルの状態より良好な場合、前記のマクロｅＮＢは前記のＵＥに対して当該の隣接マクロｅＮＢ（または隣接リレーｅＮＢ）へのハンドオーバーの実行を決めることができる。本発明ではＵＥがマクロｅＮＢからリレーｅＮＢへハンドオーバーを実行する状況を考慮して、したがって以下の説明はＵＥとリレーｅＮＢの間のチャンネルの状態がＵＥとマクロｅＮＢの間のチャンネルの状態より良好で、前記のマクロｅＮＢが９０１段階で前記のＵＥに対してリレーｅＮＢへのハンドオーバーの実行を決める状況を仮定する。他の実施例で、マクロｅＮＢが隣接マクロｅＮＢから、前記のマクロｅＮＢのセル内のリレーｅＮＢへのＵＥのハンドオーバーを要請するハンドオーバーの要請メッセージを受信する状況を仮定することもできる。
【００６２】
以後、前記のマクロｅＮＢは、９０３段階で前記のＵＥに対して決めたハンドオーバーがＬ３中継のハンドオーバーであるかどうかを検査する。
【００６３】
前記の９０３段階で、前記のＵＥに対して決めたハンドオーバーがＬ３中継のハンドオーバーではない時、前記のマクロｅＮＢは前記のＵＥに対する一般的なハンドオーバーの手続きを実行する。
【００６４】
一方、前記の９０３段階で、前記のＵＥに対して決めたハンドオーバーがＬ３中継のハンドオーバーである時、前記のマクロｅＮＢは９０５段階でターゲットｅＮＢであるリレーｅＮＢより先に前記のＵＥのコール要請に対するコール許可制御を実行する。ここで、前記のマクロｅＮＢは、マクロｅＮＢとリレーｅＮＢの間の無線リンクの資源の量を確認して前記のＵＥのコール要請に対するコール許可制御を実行して、これでマクロｅＮＢとリレーｅＮＢの間の無線リンクの資源の量が前記のリレーｅＮＢに無線リンクの資源を割り当てるに十分な場合、すなわちマクロｅＮＢとリレーｅＮＢの間の無線リンクの資源の量が前記のＵＥのハンドオーバーによって前記のリレーｅＮＢに割り当てしなければならない無線リンクの資源の量より大きいか同じ場合は、前記のＵＥのコール要請に対して許可を決めて、そうではない場合は拒絶を決めることができる。
【００６５】
以後、前記のマクロｅＮＢは、９０７段階で前記のＵＥのコール要請に対して許可を決めたかどうかを検査する。
【００６６】
前記の９０７段階で、前記のＵＥのコール要請に対して拒絶を決めた時、前記のマクロｅＮＢは９２３段階で前記のリレーｅＮＢへのハンドオーバーが不可能なことを判断して、前記のＵＥのハンドオーバーの手続きを終了する。
【００６７】
一方、前記の９０７段階で、前記のＵＥのコール要請に対して許可を決めた時、前記のマクロｅＮＢは９０９段階でマクロｅＮＢとリレーｅＮＢの間のＲＲＣ連結が存在するかどうかを検査する。
【００６８】
前記の９０９段階で、マクロｅＮＢとリレーｅＮＢの間のＲＲＣ連結が存在しない時、前記のマクロｅＮＢは９１１段階でハンドオーバーの要請メッセージとＲＲＣ連結の設定のメッセージを統合して、ハンドオーバーの要請及びＲＲＣ連結の設定のメッセージをリレーｅＮＢに送信する。すなわち、前記のマクロｅＮＢはＸ２シグナリングメッセージとＲＲＣシグナリングメッセージを同時に前記のリレーｅＮＢに送信する。以後、前記のマクロｅＮＢは９１３段階でリレーｅＮＢから統合されたハンドオーバーの要請の応答及びＲＲＣ連結の設定の応答メッセージを受信して、９１９段階に進行する。ここで、前記のハンドオーバーの要請及びＲＲＣ連結の設定のメッセージ、またはハンドオーバーの要請の応答及びＲＲＣ連結の設定の応答メッセージは、当該のメッセージがＸ２シグナリングメッセージとＲＲＣシグナリングメッセージが統合されたメッセージであることを示す指示子（=‘１’）を含んで構成される。
【００６９】
一方、前記の９０９段階で、マクロｅＮＢとリレーｅＮＢの間のＲＲＣ連結が存在する時、前記のマクロｅＮＢは、９１５段階でハンドオーバーの要請メッセージとＲＲＣ連結の再構成メッセージを統合して、ハンドオーバーの要請及びＲＲＣ連結の再構成メッセージをリレーｅＮＢに送信する。すなわち、前記のマクロｅＮＢはＸ２シグナリングメッセージとＲＲＣシグナリングメッセージを同時に前記のリレーｅＮＢに送信する。以後、前記のマクロｅＮＢは９１７段階でリレーｅＮＢから統合されたハンドオーバーの要請の応答及びＲＲＣ連結の再構成の応答メッセージを受信して、９１９段階に進行する。ここで、前記のハンドオーバーの要請及びＲＲＣ連結の再構成メッセージ、またはハンドオーバーの要請の応答及びＲＲＣ連結の再構成の応答メッセージは、当該のメッセージがＸ２シグナリングメッセージとＲＲＣシグナリングメッセージが統合されたメッセージであることを示す指示子（=‘１’）を含んで構成される。
【００７０】
以後、前記のマクロｅＮＢは９１９段階で前記のリレーｅＮＢから受信した統合されたハンドオーバーの要請の応答及びＲＲＣ連結の設定の応答メッセージまたは統合されたハンドオーバーの要請の応答及びＲＲＣ連結の再構成の応答メッセージを確認して、ハンドオーバーの要請に対するＡＣＫ応答のためのメッセージであるかどうかを検査する。
【００７１】
前記の９１９段階で、前記のリレーｅＮＢから受信したハンドオーバーの要請の応答及びＲＲＣ連結の設定の応答メッセージまたはハンドオーバーの要請の応答及びＲＲＣ連結の再構成の応答メッセージが、ハンドオーバーの要請に対するＡＣＫ応答のためのメッセージである時、前記のマクロｅＮＢは９２１段階で前記のリレーｅＮＢへのハンドオーバーが可能なことを判断して、前記のＵＥにハンドオーバー命令のメッセージを送信して、前記のリレーｅＮＢへのハンドオーバーを命令する。他の実施例で、前記のマクロｅＮＢが隣接マクロｅＮＢから、前記のマクロｅＮＢのセル内のリレーｅＮＢへのＵＥのハンドオーバーを要請するハンドオーバーの要請メッセージを受信する状況を仮定した場合、前記のマクロｅＮＢはＵＥに前記のハンドオーバー命令のメッセージを送信する代わりに、前記の隣接マクロｅＮＢにハンドオーバーの要請のＡＣＫ応答メッセージを送信して、前記の隣接マクロｅＮＢがＵＥに前記のハンドオーバー命令のメッセージを送信するようにできる。
【００７２】
一方、前記の９１９段階で、前記のリレーｅＮＢから受信したハンドオーバーの要請の応答及びＲＲＣ連結の設定の応答メッセージまたはハンドオーバーの要請の応答及びＲＲＣ連結の再構成の応答メッセージが、ハンドオーバーの要請に対するＮＡＣＫ応答のためのメッセージである時、前記のマクロｅＮＢは前記の９２３段階で前記のリレーｅＮＢへのハンドオーバーが不可能なことを判断して、前記のＵＥのハンドオーバーの手続きを終了する。他の実施例で、前記のマクロｅＮＢが隣接マクロｅＮＢから、前記のマクロｅＮＢのセル内のリレーｅＮＢへのＵＥのハンドオーバーを要請するハンドオーバーの要請メッセージを受信する状況を仮定した場合、前記のマクロｅＮＢは前記の隣接マクロｅＮＢにハンドオーバーの要請のＮＡＣＫ応答メッセージを送信して、前記の隣接マクロｅＮＢが前記のＵＥのハンドオーバーの手続きを終了するようにできる。
以後、前記のマクロｅＮＢは本発明によるアルゴリズムを終了する。
【００７３】
図１０は、本発明の実施例によるコードレス通信システムでリレーｅＮＢの動作方法を図示する流れ図である。
【００７４】
前記の図１０を参照すれば、リレーｅＮＢは１００１段階でマクロｅＮＢからハンドオーバーの要請及びＲＲＣ連結の設定（再構成）メッセージが受信されるかどうかを検査する。ここで、前記のハンドオーバーの要請及びＲＲＣ連結の設定（再構成）メッセージは、ＵＥのコールを要請するハンドオーバーの要請メッセージと、マクロｅＮＢとリレーｅＮＢの間のＲＲＣ連結の設定（再構成）を要求するＲＲＣ連結の設定（再構成）メッセージが統合されたメッセージである。ここで、前記のハンドオーバーの要請及びＲＲＣ連結の設定（再構成）メッセージは、当該のメッセージがＸ２シグナリングメッセージとＲＲＣシグナリングメッセージが統合されたメッセージであることを示す指示子（=‘１’）を含んで構成されて、前記の指示子を確認することでハンドオーバーの要請及びＲＲＣ連結の設定（再構成）メッセージが受信されるかどうかを検査することができる。
【００７５】
前記の１００１段階で、統合されたハンドオーバーの要請及びＲＲＣ連結の設定（再構成）メッセージが受信される時、前記のリレーｅＮＢは１００３段階で前記のＵＥのコール要請に対するコール許可制御を実行する。ここで、前記のリレーｅＮＢはリレーｅＮＢとＵＥの間の無線リンクの資源の量を確認して前記のＵＥのコール要請に対するコール許可制御を実行して、これでリレーｅＮＢとＵＥの間の無線リンクの資源の量が前記のＵＥに無線リンクの資源を割り当てるに十分な場合、すなわちリレーｅＮＢとＵＥの間の無線リンクの資源の量が前記のＵＥのハンドオーバーによって前記のＵＥに割り当てしなければならない無線リンクの資源の量より大きいか同じ場合は、前記のＵＥのコール要請に対して許可を決めて、そうではない場合は拒絶を決めることができる。
【００７６】
以後、前記のリレーｅＮＢは、１００５段階で前記のＵＥのコール要請に対して許可を決めたかどうかを検査する。
【００７７】
前記の１００５段階で、前記のＵＥのコール要請に対して許可を決めた時、前記のリレーｅＮＢは１００７段階でマクロｅＮＢとリレーｅＮＢの間のＲＲＣ連結を設定（再構成）して、１００９段階でハンドオーバーの要請のＡＣＫ応答メッセージとＲＲＣ連結の設定（再構成）完了の応答メッセージを統合して、ハンドオーバーの要請のＡＣＫ応答及びＲＲＣ連結の設定（再構成）完了の応答メッセージを前記のマクロｅＮＢに送信する。ここで、前記のハンドオーバーの要請のＡＣＫ応答及びＲＲＣ連結の設定（再構成）完了の応答メッセージは、当該のメッセージがＸ２シグナリングメッセージとＲＲＣシグナリングメッセージが統合されたメッセージであることを示す指示子（=‘１’）を含んで構成される。
【００７８】
一方、前記の１００５段階で、前記のＵＥのコール要請に対して拒絶を決めた時、前記のリレーｅＮＢは１０１１段階でハンドオーバーの要請のＮＡＣＫ応答メッセージとＲＲＣ連結の設定（再構成）失敗の応答メッセージを統合してハンドオーバーの要請のＮＡＣＫ応答及びＲＲＣ連結の設定（再構成）失敗の応答メッセージを前記のマクロｅＮＢに送信する。ここで、前記のハンドオーバーの要請のＮＡＣＫ応答メッセージとＲＲＣ連結の設定（再構成）失敗の応答メッセージは、当該のメッセージがＸ２シグナリングメッセージとＲＲＣシグナリングメッセージが統合されたメッセージであることを示す指示子（=‘１’）を含んで構成される。
以後、前記のリレーｅＮＢは本発明によるアルゴリズムを終了する。
【００７９】
図１１は、本発明によるコードレス通信システムでマクロｅＮＢとリレーｅＮＢの装置構成を図示するブロック図である。
【００８０】
図示されたところのように、マクロｅＮＢ１１００とリレーｅＮＢ１１２０はそれぞれ、Ｘ２シグナリング制御器１１０２、１１２２と、無線資源制御（Ｒａｄｉｏ  Ｒｅｓｏｕｒｃｅ  Ｃｏｎｔｒｏｌ：以下‘ＲＲＣ’と称する）１１０４、１１２４階層と、メッセージの統合器/分離器１１０６、１１２６と、パケットデータコンバージェンスプロトコル（Ｐａｃｋｅｔ  Ｄａｔａ  Ｃｏｎｖｅｒｇｅｎｃｅ  Ｐｒｏｔｏｃｏｌ：以下‘ＰＤＣＰ’と称する）１１０８、１１２８階層と、無線リンク制御（Ｒａｄｉｏ  Ｌｉｎｋ  Ｃｏｎｔｒｏｌ：ＲＬＣ）１１１０、１１３０階層と、媒体アクセス制御（Ｍｅｄｉｕｍ  Ａｃｃｅｓｓ  Ｃｏｎｔｒｏｌ：以下‘ＭＡＣ’と称する）１１１２、１１３２階層と、物理（Ｐｈｙｓｉｃａｌ：以下‘ＰＨＹ’と称する）-無線リンク１１１４、１１３４ 階層と、を含んで構成される。
【００８１】
前記の図１１を参照すれば、前記のＸ２シグナリング制御器１１０２、１１２２に関して、前記のマクロｅＮＢ１１００のＸ２シグナリング制御器１１０２は、ＵＥに対するリレーｅＮＢ１１２０へのＬ３中継のハンドオーバーを決めた時、先に、前記のＵＥに対するコール許可制御を実行する。前記のＵＥに対するコール許可制御に成功した場合、前記のマクロｅＮＢ１１００のＸ２シグナリング制御器１１０２は、リレーｅＮＢ１１２０に送信するためのハンドオーバーの要請メッセージを前記のメッセージの統合器/分離器１１０６に提供して、前記のＲＲＣ１１０４階層にとってＲＲＣ連結が存在するかどうかによってＲＲＣ連結の設定（再構成）メッセージを前記のメッセージの統合器/分離器１１０６に提供するようにする。また、前記のマクロｅＮＢ１１００のＸ２シグナリング制御器１１０２は、前記のメッセージの統合器/分離器１１０６からのハンドオーバーの要請の応答メッセージを利用して前記のＵＥに対するリレーｅＮＢ１１２０へのハンドオーバーの可能の可否を判断する。もし、前記のＵＥに対するコール許可制御に失敗した場合、前記のマクロｅＮＢ１１００のＸ２シグナリング制御器１１０２は、ハンドオーバーシグナリングメッセージの交換の手続きを実行する以前に前記のＵＥに対するリレーｅＮＢ１１２０へのハンドオーバーが不可能なことを判断することができる。
【００８２】
また、前記のリレーｅＮＢ１１２０のＸ２シグナリング制御器１１２２は、前記のメッセージの統合器/分離器１１２６を通じて前記のＵＥに対するハンドオーバーの要請メッセージを受信して、前記のＵＥに対するコール許可制御を実行する。以後、前記のリレーｅＮＢ１１２０のＸ２シグナリング制御器１１２２は、前記のコール許可制御の成功の可否によってハンドオーバーの要請の応答メッセージを前記のメッセージの統合器/分離器１１２６に提供して、前記のＲＲＣ１１２４階層にとってＲＲＣ連結を設定（再構成）して、これによるＲＲＣ連結の設定（再構成）の応答メッセージを前記のメッセージの統合器/分離器１１２６に提供するようにする。
【００８３】
前記のＲＲＣ１１０４、１１２４階層はＬ３階層として、ｅＮＢとＵＥの間の無線資源を割り当てるかまたは解除する機能を実行する。特に、前記のマクロｅＮＢ１１００のＲＲＣ１１０４階層は前記のＸ２シグナリング制御器１１０２の要請によってＲＲＣ連結が存在するかどうかを検査して、検査結果によって前記のメッセージの統合器/分離器１１０６にＲＲＣ連結の設定（再構成）メッセージを提供して、前記のメッセージの統合器/分離器１１０６から提供されるＲＲＣ連結の設定（再構成）の応答メッセージを処理する。また、前記のリレーｅＮＢ１１２０のＲＲＣ１１２４階層は、前記のＸ２シグナリング制御器１１２２の要請によってＲＲＣ連結を設定/再構成して、設定/再構成の結果によって前記のメッセージの統合器/分離器１１２６にＲＲＣ連結の設定（再構成）の応答メッセージを提供する。
【００８４】
前記のメッセージの統合器/分離器１１０６、１１２６は、お互いに異なる階層のメッセージを統合して、統合されたメッセージをお互いに異なる階層のメッセージに分離する。特に、前記のメッセージの統合器/分離器１１０６、１１２６は、前記のＸ２シグナリング制御器１１０２、１１２２からのＸ２シグナリングメッセージと前記のＲＲＣ１１０４、１１２４階層からのＲＲＣシグナリングメッセージを統合して、統合されたハンドオーバーシグナリングメッセージを前記のＰＤＣＰ１１０８、１１２８階層に提供する。また、前記のメッセージの統合器/分離器１１０６、１１２６は、前記のＰＤＣＰ１１０８、１１２８階層からの統合されたハンドオーバーシグナリングメッセージをＸ２シグナリングメッセージとＲＲＣシグナリングメッセージに分離して、分離したＸ２シグナリングメッセージを前記のＸ２シグナリング制御器１１０２、１１２２に提供して、分離したＲＲＣシグナリングメッセージを前記のＲＲＣ１１０４、１１２４ 階層に提供する。
【００８５】
前記のＰＤＣＰ１１０８、１１２８階層は、Ｌ２階層として、ＩＰパケット形態で送信されるデータに対してヘッダー圧縮（ｈｅａｄｅｒ  ｃｏｍｐｒｅｓｓｉｏｎ）を提供して、すなわち前記のＲＬＣ１１１０、１１３０階層に当たる形態に変換して、前記のＲＬＣ１１１０、１１３０階層に提供する。
【００８６】
前記のＲＬＣ１１１０、１１３０階層は、Ｌ２階層として、信頼性あるデータの送信を支援して、上位の階層から下ったＲＬＣサービスデータ単位（Ｓｅｒｖｉｃｅ  Ｄａｔａ  Ｕｎｉｔ：ＳＤＵ）の分割及び連結（Ｓｅｇｍｅｎｔａｔｉｏｎ  ａｎｄ  Ｃｏｎｃａｔｅｎａｔｉｏｎ）機能を実行する。
【００８７】
前記のＭＡＣ１１１２、１１３２階層は、Ｌ２階層として、多様な論理チャンネル（Ｌｏｇｉｃａｌ  Ｃｈａｎｎｅｌ）を多様な送信チャンネルにマッピングさせる役目をする。前記のＭＡＣ１１１２、１１３２階層は前記のＲＬＣ１１１０、１１３０階層と論理チャンネルを通じて繋がれているし、前記のＰＨＹ-無線リンク１１１４、１１３４階層と送信チャンネルを通じて繋がれている。
【００８８】
前記のＰＨＹ-無線リンク１１１４、１１３４階層は、Ｌ１階層として、物理チャンネル（Ｐｈｙｓｉｃａｌ  Ｃｈａｎｎｅｌ）を利用して上位階層に情報送信サービス（Ｉｎｆｏｒｍａｔｉｏｎ  Ｔｒａｎｓｆｅｒ  Ｓｅｒｖｉｃｅ）を提供する。前記のＰＨＹ-無線リンク１１１４、１１３４階層は、上位にあるＭＡＣ１１１２、１１３２階層と送信チャンネル（Ｔｒａｎｓｐｏｒｔ  Ｃｈａｎｎｅｌ）を通じて繋がれて、前記の送信チャンネルを通じてＭＡＣ１１１２、１１３２階層とＰＨＹ-無線リンク１１１４、１１３４階層の間のデータが移動する。そして、お互いに異なるＰＨＹ-無線リンク１１１４、１１３４階層の間、すなわち送信側と受信側のＰＨＹ-無線リンク１１１４、１１３４階層の間では物理チャンネルを通じてデータが移動する。
【００８９】
一方、本発明による実施例でリレーｅＮＢは、マクロｅＮＢとリレーｅＮＢの間のＲＲＣ連結が設定される前にコール許可制御を実行するので、前記のマクロｅＮＢがリレーｅＮＢに送信するＲＲＣ連結の設定（再構成）メッセージにはコール許可制御のために必要なＱｏＳ（Ｑｕａｌｉｔｙ  ｏｆ  Ｓｅｒｖｉｃｅ）パラメーターが含まれていなければならない。ここで、前記のＱｏＳパラメーターは、ＱＣＩ（ＱｏＳ  Ｃｌａｓｓ  Ｉｎｄｅｘ）、ＰＤＢ（Ｐａｃｋｅｔ  Ｄｅｌａｙ  Ｂｕｄｇｅｔ）、ＭＢＲ（Ｍａｘｉｍｕｍ  Ｂｉｔ  Ｒａｔｅ）、ＧＢＲ（Ｇｕａｒａｎｔｅｅｄ  Ｂｉｔ  Ｒａｔｅ）などを含む。すなわち、リレーｅＮＢはＱｏＳパラメーターを利用して当該のＱｏＳをＵＥに支援することができるかどうかを判断して前記のＵＥに対するコール許可の成功または失敗を決めることができる。
【００９０】
一方、本発明による実施例でハンドオーバーが失敗してもＲＲＣ連結は設定されるとか再構成されることができる。この場合は以後のＲＲＣ連結をまた解除（ｒｅｌｅａｓｅ）して元々どおりにする過程が必要である。
【００９１】
前述のとおりに、本発明ではコードレス通信システムでＵＥのハンドオーバーのためにマクロｅＮＢとリレーｅＮＢが取り交わすＸ２シグナリングメッセージとＲＲＣシグナリングメッセージを統合することで、ＵＥのハンドオーバーのためにマクロｅＮＢとリレーｅＮＢの間に取り交わすメッセージの量を減少させて、これによってＬ３中継で発生するハンドオーバーの遅延を減少させることができる利点がある。また、リレーｅＮＢへのＵＥのハンドオーバーのために、マクロｅＮＢがリレーｅＮＢより先にコール許可制御を実行することで、不必要にハンドオーバーシグナリングメッセージが交換される場合を減らすことができる利点がある。
【００９２】
一方、本発明の詳細な説明では具体的な実施例に関して説明したが、本発明の範囲から脱しない限度内でさまざまな変形が可能である。だから本発明の範囲は説明された実施例に限定されるものではなく、後述する特許請求の範囲だけではなくこの特許請求の範囲と均等なものなどによって決まらなければならない。
【符号の説明】
【００９３】
１００  ＵＥ
１１０  マクロｅＮＢ
１２０  リレーｅＮＢ
【図１】
0005448219.tif 000002
【図２】
0005448219.tif 000003
【図３】
0005448219.tif 000004
【図４】
0005448219.tif 000005
【図５】
0005448219.tif 000006
【図６】
0005448219.tif 000007
【図７】
0005448219.tif 000008
【図８】
0005448219.tif 000009
【図９】
0005448219.tif 000010
【図１０】
0005448219.tif 000011
【図１１】
0005448219.tif 000012